(57)【要約】      （修正有）【課題】走査を自動紙送りあるいは手動のいずれでもおこなえるポータブルスキャナーを提供する。【解決手段】筺体１０内部に収容設置空間１１を設置し、外表面にはハンドヘルド走査エリア１２と原稿送り走査エリア１３をそれぞれ区画し、ハンドヘルド走査エリア１２と原稿送り走査エリア１３中には走査ウィンドー１４をそれぞれ設置し、これにより筺体１０内の収容設置空間１１は、走査ウィンドー１４を通して外部と連通する。さらに、収容設置空間１１中には可動式の第一イメージ感知装置２０を設置し、第一イメージ感知装置２０は少なくとも切換装置２１と切換装置２１上に設置するイメージセンサー２４を備え、これによりイメージセンサー２４の向く方向は切換装置２１により切り換えられ、ハンドヘルド走査エリア１２或いは原稿送り走査エリア１３中の原稿を選択して走査する。紙送り機構３０は原稿送り走査エリア１３の表面位置に設置し、これにより原稿を送り走査ウィンドー１４を通過させる。【選択図】図５
0003178914.tif 000002
【実用新案登録請求の範囲】
【請求項１】
ポータブルスキャナーは、筺体、可動式の第一イメージ感知装置紙送り機構を備え、前記筺体の内部には収容設置空間を設置し、外表面にはハンドヘルド走査エリアと原稿送り走査エリアをそれぞれ区画し、前記ハンドヘルド走査エリアと前記原稿送り走査エリアの表面には、走査ウィンドーをそれぞれ設置し、これにより前記収容設置空間は、外部と連通し、
前記可動式の第一イメージ感知装置は、前記収容設置空間中に設置し、少なくとも切換装置とイメージセンサーを備え、前記イメージセンサーは前記切換装置上に設置し、前記切換装置により前記イメージセンサーの向く方向を切り換え、前記ハンドヘルド走査エリア或いは前記原稿送り走査エリアに切り換えて走査を行うことができ、前記紙送り機構は、前記原稿送り走査エリアの表面位置に設置し、これにより原稿を送り、前記原稿送り走査エリア上の走査ウィンドーを通過させることを特徴とするポータブルスキャナー。
【請求項２】
前記前記ハンドヘルド走査エリアと前記原稿送り走査エリアは、前記筺体の両側の相対位置にそれぞれ設置することを特徴とする請求項１に記載のポータブルスキャナー。
【請求項３】
前記切換装置は、回転軸及び前記回転軸と接続する切換スイッチを備え、前記回転軸は前記収容設置空間中に可動状に接続し、前記切換スイッチにより前記回転軸の角度を切り換え、
前記第一イメージ感知装置のイメージセンサーと前記回転軸とは、相互に連接し前記回転軸が回転すると、前記イメージセンサーを連動し、前記イメージセンサーの向く方向を変更することを特徴とする請求項１に記載のポータブルスキャナー。
【請求項４】
前記紙送り機構は、前記原稿送り走査エリアの表面に設置し、前記原稿送り走査エリアと共同で原稿を送る走査ルートを形成し、紙送りローラー及び前記紙送りローラーを連動する駆動モーターを備え、
前記紙送りローラーは前記紙送り機構中に回転可能な状態で接続し、前記紙送りローラーのローラー縁は前記走査ルート上へと突出し、このようにして原稿を送ることができることを特徴とする請求項１に記載のポータブルスキャナー。
【請求項５】
前記紙送り機構中にはさらに第二イメージ感知装置を設置し前記第二イメージ感知装置は、前記第一イメージ感知装置と相対させて設置することを特徴とする請求項４に記載のポータブルスキャナー。
【考案の詳細な説明】
【技術分野】
【０００１】
本考案は自動紙送り式走査と手動走査の機能を兼ね備えたポータブルスキャナーに関する。
【背景技術】
【０００２】
文書データを保存及び作成する際に、便利でスピーディーな使用を実現するため、光学スキャナーの応用が広がっている。
光学スキャナーにより、紙上に載った文字或いは図形データを電子データに転換し、データ処理を便利にすることができる。
【０００３】
現在、もっとも多く使用されている光学スキャナーは、プラットホーム式スキャナー９０である。
プラットホーム式スキャナー９０は、透明の走査平面９１を備える。
走査平面９１下には、移動可能な走査装置９２を設置する。
使用時には原稿を走査平面９１上に平らに置き、走査装置９２が原稿上を移動して走査を行う。
この種のプラットホーム式スキャナー９０は、走査品質は優れているが全体的に体積が大きく、使用者の携帯して使用するというニーズに対応できないため、ポータブルスキャナーが開発された。
【０００４】
現行のポータブルスキャナーは、原稿送り式スキャナーとハンドヘルド式スキャナーの２種に大別される。
図２は原稿送り式スキャナー９３の立体図である。
原稿送り式スキャナー９３のイメージセンサー(図示なし)は、固定され不動である。
その代わりに原稿送り式スキャナー９３上には、原稿を送る自動紙送り器９４を設置する。
原稿は自動紙送り器９４に連動し、イメージセンサー(図示なし)を徐々に通過し、原稿全体の内容を走査し取り込むことができる。
この種の原稿送り式スキャナー９３により走査されたイメージは品質が優れているが、機器本体よりサイズが小さい原稿しか走査することができない。
つまり原稿送り式スキャナー９３は携帯可能ではあるが、スキャナーより大版の原稿を走査することはできない。
【０００５】
また別のタイプのスキャナーに、ハンドヘルド式スキャナー９５がある。
図３に示すように、ハンドヘルド式スキャナー９５は、紙送り機構は備えていない。
そのため原稿の内容を読み込むためには、使用時に、使用者が手でスキャナーを持ち動かす方式で、原稿全体の表面を通過させなければならない。
原稿送り式スキャナー９３に対し、ハンドヘルド式スキャナー９５を用い走査を行う際に、最適な走査ルートとイメージの演算方式を組み合わせれば、大版の原稿に対する走査を実現することができる。
しかし、ハンドヘルド式スキャナー９５が走査するイメージの品質は、原稿送り式スキャナー９３に比べ劣る。
その原因は、使用者がスキャナーを移動させる速度を一定に保持することが難しいということにある。
しかも、走査時に予定の走査ルートからズレる、震えが発生する等さまざまな要素が、走査により得られるイメージの歪みや変形の原因となっている。
本考案は、従来のポータブルスキャナーの上記した欠点に鑑みてなされたものである。
【考案の概要】
【考案が解決しようとする課題】
【０００６】
本考案が解決しようとする課題は、手動走査と自動紙送り走査機能を兼ね備え、スキャナーの携帯性と生産コスト低減の長所を兼ね備えたポータブルスキャナーを提供することである。
【課題を解決するための手段】
【０００７】
上記課題を解決するため、本考案は下記のポータブルスキャナーを提供する。
ポータブルスキャナーは、筺体、第一イメージ感知装置、紙送り機構を備え、
該筺体は、細長い形状で、該筺体の内部には収容設置空間を設置し、外表面にはハンドヘルド走査エリアと原稿送り走査エリアをそれぞれ区画し、該ハンドヘルド走査エリアと該原稿送り走査エリア中には、細長い形の走査ウィンドーをそれぞれ設置し、該走査ウィンドーにより該収容設置空間は外部とは連通し、
該第一イメージ感知装置は、可動式で該収容設置空間中に設置し、該第一イメージ感知装置は少なくとも切換装置とイメージセンサーを備え、該イメージセンサーは該切換装置上に設置し、該切換装置により該イメージセンサーが向かう方向を切り換え、該ハンドヘルド走査エリア或いは該原稿送り走査エリアに切り換えて走査を行うことができ、該紙送り機構は該原稿送り走査エリアの表面に設置し、
原稿を送り該原稿送り走査エリア上の走査ウィンドウを通過させ、実施例中では、該ハンドヘルド走査エリアと該原稿送り走査エリアとは、該筺体の相対する両側に設置し、
該切換装置は、回転軸及び該回転軸と接続する切換スイッチを備え、該回転軸は該収容設置空間中に可動状に接続し、該切換スイッチにより該回転軸の角度を切り換え、
該第一イメージ感知装置のイメージセンサーと該回転軸とは相互に連接し、これにより該回転軸が回転すると該イメージセンサーを連動し、該イメージセンサーの向く方向を変更することができ、
実施例中では、紙送り機構は該原稿送り走査エリアの表面に設置し、該原稿送り走査エリアと共同で原稿を送る走査ルートを形成し、紙送りローラー及び該紙送りローラーを連動する駆動モーターを備え、
該紙送りローラーは該紙送り機構中に回転可能な状態で接続し、該紙送りローラーのローラー縁は該走査ルート上へと突出し、こうして原稿を送ることができ、該紙送り機構にはさらに第二イメージ感知装置を設置し、該第二イメージ感知装置は該第一イメージ感知装置に相対して設置する。
【考案の効果】
【０００８】
本考案のポータブルスキャナーは、スキャナー中に可動式の第一イメージ感知装置を設置し、第一イメージ感知装置はスキャナー中に設置し、少なくとも切換装置とイメージセンサーを備え、イメージセンサーは切換装置上に設置し、切換装置によりイメージセンサーの向く方向を変更することができ、ハンドヘルド走査或いは自動紙送り走査の何れかの方式に切り換えることができ、このようにして本考案は一組のイメージセンサーのみを使用しながら、異なった走査モードで走査を行うことができ、スキャナーの構造をシンプルにし、生産コストを低減させることができる。
【図面の簡単な説明】
【０００９】
【図１】従来のプラットホーム式スキャナーの立体図である。
【図２】従来の原稿送り式スキャナーの立体図である。
【図３】従来のハンドヘルド式スキャナーの立体図である。
【図４】本考案の立体図である。
【図５】本考案の断面図である。
【図６】ダイヤルを回して、スキャナーモードを換える様子を示す模式図である。
【図７】本考案スキャナーを、自動紙送り走査に切り換えて使用する様子を示す模式図である。
【図８】本考案スキャナーを、ハンドヘルド走査に切り換えて使用する様子を示す模式図である。
【考案を実施するための形態】
【００１０】
以下に図面を参照しながら本考案を実施するための最良の形態について詳細に説明する。
【００１１】
図４、５に示すように、本考案ポータブルスキャナーは筺体１０を備える。
筺体１０は、持ち易く文書の走査に便利な細長い形状に製造する。筺体１０の内部には収容設置空間１１を設置する。
筺体１０上方にはハンドヘルド走査エリア１２を設置し、筺体１０下方には原稿送り走査エリア１３を設置する。
こうしてハンドヘルド走査エリア１２と原稿送り走査エリア１３を、筺体１０の両側の相対位置にそれぞれ設置する。
これにより、ハンドヘルド走査エリア１２と原稿送り走査エリア１３を相互に区画する。
ハンドヘルド走査エリア１２と原稿送り走査エリア１３の表面には、細長い形の走査ウィンドー１４をそれぞれ設置する。
走査ウィンドー１４の延伸方向は、筺体１０と同一方向でこれにより内部の収容設置空間１１と外部とは連通する。
【００１２】
収容設置空間１１内には、可動式の第一イメージ感知装置２０、及びスキャナーを制御する制御回路(図示なし)を設置する。
ただし制御回路は本考案の特徴ではないためここでは説明を省略する。
第一イメージ感知装置２０は、切換装置２１及び切換装置２１上に設置するイメージセンサー２４を備える。
切換装置２１によりイメージセンサー２４の向く方向を切り換える。
【００１３】
実施例中では、イメージセンサー２４は接触式イメージセンサー(Contact Image Sensor)で、多数のイメージ感知ユニットを備える。
各イメージ感知ユニットは、直線状に配列し陣列を形成する。これによりイメージセンサー陣列の全体的な長さは、文書を走査可能な幅となる。
各イメージ感知ユニットは、感光部品２５、フォーカスレンズ２６、光源２７をそれぞれ備える。
走査を行う時には、各イメージ感知ユニットは原稿上の小さなエリア内のデータをそれぞれ走査した後、それを組み合わせて完全な文書内容を形成する。
【００１４】
切換装置２１は、回転軸２２及び回転軸２２と接続する切換スイッチ２３を備える。
回転軸２２は収容設置空間１１中に可動状に接続し、切換スイッチ２３により回転軸２２の角度を切り換える。
イメージセンサー２４と回転軸２２とは相互に連接する。
これにより、回転軸２２が回転するとイメージセンサー２４を連動し、イメージセンサー２４の向く方向を変更する。
こうして、イメージセンサー２４は実際の使用の状況に応じて、ハンドヘルド走査或いは自動原稿送り走査と走査モードを切り換えることができる。
【００１５】
しかも、この実施例では切換スイッチ２３は、手動ダイヤルとし切換スイッチ２３はさらに、位置センサー２８を備える。
使用者が手動ダイヤルを回し、イメージセンサー２４の向く方向を変更する時、位置センサー２８は回転軸２２の位置を感知し、位置信号を制御回路に伝送する。
これにより、異なった方式により走査を制御することができる。
ただしこの手動ダイヤルは説明の便のために用いるだけで、これに限定するものではない。
切換スイッチ２３は実際の必要に応じて、電動モーター或いは他の装置とすることができる。
【００１６】
原稿送り走査エリア１３の表面にはさらに、原稿を送り走査ウィンドー１４を経由させる紙送り機構３０を設置する。
この実施例中では、紙送り機構３０は原稿送り走査エリア１３の表面に設置し、原稿送り走査エリア１３と所定の距離を隔てる。
こうして、紙送り機構３０と原稿送り走査エリア１３の走査ウィンドー１４間に原稿を通過させる走査ルート３１を形成する。
【００１７】
紙送り機構３０は紙送りローラー３２、及び紙送りローラー３２を駆動する駆動モーター３３を備える。
紙送りローラー３２は紙送り機構３０中に回転可能な状態で接続し、ローラー縁は紙送り機構３０内から走査ルート３１上にそして外へと突出する。
また、原稿送り走査エリア１３の表面には、紙送りローラー３２位置に対応して、受動ローラー３４を設置する。
これにより、走査ルート３１中に進入した原稿は、紙送りローラー３２と受動ローラー３４に連動され、均一な速度で走査ウィンドー１４を通過し、良質な走査イメージを得ることができる。
【００１８】
別の実施例では紙送り機構３０にはさらに、第二イメージ感知装置４０を設置する。
第二イメージ感知装置４０は、原稿送り走査エリア１３の走査ウィンドー１４下方に設置し、第一イメージ感知装置２０に相対して設置する。
図６に示すように、原稿が走査ルート３１より通過すると、第一イメージ感知装置２０と第二イメージ感知装置４０とは、同時に原稿の表裏両面に対して走査を行う。
【００１９】
図５、８では、使用者が本考案を使用して走査を行うプロセスを示す。
使用者が大量、かつサイズが一定の文書を走査する必要がある時には、ダイヤルを原稿送り走査の位置とし、自動紙送り走査のモードに切り換える。
図６、７に示すように、この時、切換装置２１は下方へと回転し第一イメージ感知装置２０は、原稿送り走査エリア１３上の走査ウィンドーに照準を合わせる。
また位置センサー２８により位置信号を伝送し、これによりスキャナーは原稿送り走査モードに切り換えられる。
【００２０】
続いて、原稿を走査ルート３１中に置く。
これにより、原稿は紙送りローラー３２と受動ローラー３４の対応により、一定速度で自動的に走査ルート３１を通過し、良質な走査イメージを得ることができる。
もし、原稿の表裏両面にデータがある場合には、紙送り機構３０中に設置する第二イメージ感知装置４０により、原稿の裏面を同時に走査する。
【００２１】
大版の原稿や書籍などの紙送り機構３０による走査に適さない原稿を走査する必要がある場合には、手動ダイヤルをハンドヘルド走査の位置に切り換える。
図５、８に示すように、この時、第一イメージ感知装置２０はハンドヘルド走査エリア１２上の走査ウィンドー１４に照準を合わせ、しかも位置センサー２８により信号を伝送し、これによりスキャナーはハンドヘルド操作モードに切り換えられる。
こうして、使用者はハンドヘルドスキャナーを、文章表面に沿わせ表面を走査することができる。
スキャナーが原稿の表面を走査する度に、走査範囲内の文書イメージを取得することができる。
ハンドヘルド走査を採用するため、原稿が大きすぎる或いは厚すぎてスキャナーに送り入れられない時でも、走査を行うことができる。
【００２２】
上記したように、本考案と従来の技術との差異は、スキャナー中に第一イメージ感知装置２０を設置する点にある。
第一イメージ感知装置２０はスキャナー中に設置し、少なくとも切換装置２１とイメージセンサー２４を備える。
イメージセンサー２４は切換装置２１上に設置し、切換装置２１によりイメージセンサー２４の向く方向を変更することができ、ハンドヘルド走査或いは自動紙送り走査の何れかの方式に切り換えることができる。
このようにして、本考案は一組のイメージセンサーのみを使用しながら、異なった走査モードで走査を行うことができ、スキャナーの構造をシンプルにし、生産コストを低減させることができる。
【符号の説明】
【００２３】
１０  筺体
１１  収容設置空間
１２  ハンドヘルド走査エリア
１３  原稿送り走査エリア
１４  走査ウィンドー
２０  第一イメージ感知装置
２１  切換装置
２２  回転軸
２３  切換スイッチ
２４  イメージセンサー
２５  感光部品
２６  フォーカスレンズ
２７  光源
２８  位置センサー
３０  紙送り機構
３１  走査ルート
３２  紙送りローラー
３３  駆動モーター
３４  受動ローラー
４０  第二イメージ感知装置
９０  プラットホーム式スキャナー
９１  走査平面
９２  走査装置
９３  原稿送り式スキャナー
９４  自動紙送り器
９５  ハンドヘルド式スキャナー
【図１】
0003178914.tif 000003
【図２】
0003178914.tif 000004
【図３】
0003178914.tif 000005
【図４】
0003178914.tif 000006
【図５】
0003178914.tif 000007
【図６】
0003178914.tif 000008
【図７】
0003178914.tif 000009
【図８】
0003178914.tif 000010